(57)【要約】【課題】  手乾燥室へ手を挿入しやすく、手乾燥室から外部への水滴飛散の少ない手乾燥装置を得る。【解決手段】  箱体に設けられ上面および側面の上側に互いに繋げて開口を有する手乾燥室と、手乾燥室に設けられ高圧空気流を手乾燥室に噴出させるノズルと、手乾燥室に設けられた第一の手検知センサと、第一の手検知センサより下方に設けられた第二の手検知センサと、を備え、上下方向において、ノズルより下方に第一の手検知センサがあるとともに、手乾燥室の左右の側壁の上端がノズルより下方で第一の手検知センサより上方にある手乾燥装置である。【選択図】  図２
2014033820.tif 000002
【特許請求の範囲】
【請求項１】
箱体と、前記箱体に設けられ上面および側面の上側に互いに繋げて開口を有する手乾燥室と、前記箱体に収納され高圧空気流を発生する高圧空気流発生装置と、前記手乾燥室に設けられ前記高圧空気流発生装置により発生された高圧空気流を前記手乾燥室に噴出させるノズルと、前記手乾燥室に設けられ前記手乾燥室の手の有無を検知する第一の手検知センサと、前記手乾燥室に前記第一の手検知センサより下方に設けられ前記手乾燥室の手の有無を検知する第二の手検知センサと、前記第二の手検知センサが手の有り状態を検知すると前記高圧空気流発生装置の動作を開始させ、その後に前記第一の手検知センサが手の有り状態から手の無し状態を検知すると前記高圧空気流発生装置の動作を停止させる制御回路と、を備えた手乾燥装置であって、
上下方向において、前記ノズルより下方に前記第一の手検知センサがあるとともに、前記手乾燥室の左右の側壁の上端が前記ノズルより下方で前記第一の手検知センサより上方にあることを特徴とする手乾燥装置。
【請求項２】
前記ノズルが前記手乾燥室の前壁と後壁に対向してそれぞれ設けられ、上下方向において前記ノズルの開口穴の中心軸同士の交点が前記側壁の上端より下方にあることを特徴とする請求項１に記載の手乾燥装置。
【請求項３】
上下方向において、前記交点が前記第一の手検知センサと同等位置または下方にあることを特徴とする請求項１または請求項２のいずれかに記載の手乾燥装置。
【発明の詳細な説明】
【技術分野】
【０００１】
本発明は、洗浄後の濡れた手を乾燥させるための手乾燥装置に関するものである。
【背景技術】
【０００２】
従来より、洗浄後の濡れた手を、タオルやハンカチ等で払拭せず、手乾燥室に挿入された濡れた手に高速空気流を噴射して手に付着した水を吹飛ばして乾燥させる手乾燥装置が開発されている。例えば、特許文献１には、正面側と側面側に開放した手挿入部（手乾燥室）を備えた手乾燥装置が開示されている。
また、特許文献２には、上面が開放し側面には側板が設けられた乾燥室（手乾燥室）を備えた手乾燥装置が開示されている。
【先行技術文献】
【特許文献】
【０００３】
【特許文献１】特開平６−２０９８７９号公報
【特許文献２】特開２００２−３４８３５号公報
【発明の概要】
【発明が解決しようとする課題】
【０００４】
特許文献１に開示された手乾燥装置では、正面側と側面側に開放した手挿入部（手乾燥室）であるため、使用者が濡れた手を正面側だけでなく側面側からも手乾燥室へ挿入することができるので、挿入する腕をあまり縮めなくて手を挿入することができ、使い勝手がよいという利点があった。しかし、手乾燥室の側面側が開口しているので、吹出ノズルからの高速空気流で手から吹き飛ばされた水滴が手乾燥室の側面側の開口から外へ飛散しやすいという問題があった。
【０００５】
また、特許文献２に開示された手乾燥装置では、手乾燥室の側面に側板が設けられて塞がれているため、手から吹き飛ばされた水滴が手乾燥室の側面から外へ飛散することを防止できるという利点があった。しかし、手乾燥室が上面しか開口していないので使用者は手乾燥室の上面の開口部まで腕を縮めてから手を挿入する必要があり、非常に使い勝手が悪いという問題があった。
【０００６】
本発明は上述のような課題を解決するためになされたものであり、手乾燥室へ手を挿入しやすく、手乾燥室から外部への水滴飛散の少ない手乾燥装置を得るものである。
【課題を解決するための手段】
【０００７】
この発明に係る手乾燥装置においては、箱体と、箱体に設けられ上面および側面の上側に互いに繋げて開口を有する手乾燥室と、箱体に収納され高圧空気流を発生する高圧空気流発生装置と、手乾燥室に設けられ高圧空気流発生装置により発生された高圧空気流を手乾燥室に噴出させるノズルと、手乾燥室に設けられ手乾燥室の手の有無を検知する第一の手検知センサと、手乾燥室に第一の手検知センサより下方に設けられ手乾燥室の手の有無を検知する第二の手検知センサと、第二の手検知センサが手の有り状態を検知すると高圧空気流発生装置の動作を開始させ、その後に第一の手検知センサが手の有り状態から手の無し状態を検知すると高圧空気流発生装置の動作を停止させる制御回路と、を備えた手乾燥装置であって、
上下方向において、ノズルより下方に第一の手検知センサがあるとともに、手乾燥室の左右の側壁の上端がノズルより下方で第一の手検知センサより上方にあるものである。
【発明の効果】
【０００８】
使用者が手乾燥室へ手を挿入しやすく、手乾燥室から外部への水滴飛散の少ない手乾燥装置を得ることができる。
【図面の簡単な説明】
【０００９】
【図１】この発明の実施の形態１を示す手乾燥装置の右斜視図である。
【図２】この発明の実施の形態１を示す手乾燥装置の右側面断面図である。
【図３】この発明の実施の形態１を示す手乾燥装置の正面パネル１ａを外した正面図である。
【図４】この発明の実施の形態１を示す手乾燥装置の左斜視図である。
【図５】この発明の実施の形態１を示す手乾燥装置の別の実施例の右側面断面図である。
【図６】この発明の実施の形態１を示す手乾燥装置の別の実施例の右側面断面図である。
【発明を実施するための形態】
【００１０】
実施の形態１．
図１は、この発明の実施の形態１における手乾燥装置の外観を示す右斜視図である。また図２は、この発明を実施するための実施の形態１における手乾燥装置の右側面断面図である。また図３は、この発明の実施の形態１における手乾燥装置の正面パネル１ａを外した正面図である。図１、図２及び図３において、箱体１は手乾燥装置の外郭をなし、箱体１には上部及び側部の上側一部が開口して手を自由に挿抜でき、側面から見て下方に背面方向に傾斜を有してほぼＵ字状の空間の手乾燥室２が設けられている。また箱体１の内部には高圧の空気流を発生させる高圧空気流発生装置３及び高圧空気流発生装置３の運転を制御する制御手段４が設けられている。手乾燥室２に設けられた手乾燥室２の手の有無を検知する第一の手検知センサ７および第二の手検知センサ８から出力された信号に基づき制御手段４が高圧空気流発生装置３の運転を制御し、高圧空気発生装置３で発生させた空気流を手乾燥室２の内壁面に設けられたノズル５から手乾燥室２の中に噴出させている。手乾燥室２の底面を構成する底壁２ｄの左右端には手乾燥室２内の水を排水する排水口（図示せず）が設けられ、排水口（図示せず）には水を通す排水路６の一端が取り付けられ、排水路６の他端（図示せず）の下方には排水路６を通って排水された水を溜めるタンク９が着脱自在に箱体１に取り付けられている。
【００１１】
手乾燥室２について説明すると、手乾燥室２は、正面側の内壁である前壁２ａと、前壁２ａに対向し背面側の内壁である後壁２ｂと、前壁２ａの下側と後壁２ｂの下側に繋がり底面側の壁面である底壁２ｄで構成された空間で、側面から見て上方が開口し有底のほぼＵ字状の形状をしている。更に、手乾燥室２の左右の両側面には、側面側の壁面である側壁２ｃが手乾燥室２の上側部分を除き下側を全て塞ぐように前壁２ａ、後壁２ｂおよび底壁２ｄに繋がって設けられている。従って、手乾燥室２の下側は前壁２ａ、後壁２ｂ、左右の側壁２ｃおよび底壁２ｄで囲まれた空間であり、手乾燥室２の上側は前壁２ａと後壁２ｂで囲まれた空間であるとともに、上方に開口した上部開口部２０ａを備え、また側方に開口した側部開口部２０ｂを左右に備え、外部から手乾燥室２の中へ手を抜き差し可能になっている。側壁２ｃの上側の端部である上端２ｅは、手乾燥室２の上下方向の中央より上方に位置するとともにノズル５より下方に位置するように設けられている。また、前壁２ａ、後壁２ｂ、側壁２ｃおよび底壁２ｄは抗菌剤を含浸させた樹脂材料からでできているおり、更にその表面には、シリコン系もしくはフッ素系等の撥水性コ−ティングまたは酸化チタン等の親水性があるコ−ティングがなされ、そのため手乾燥室２の内壁の表面の汚れ付着を低減させるとともに菌の繁殖を低減させる処理が施されている。
【００１２】
ノズル５は、手乾燥室２の上開口部２０ａの近くの前壁２ａ及び後壁２ｂに互いに対向して設けられ、それぞれのノズル５は箱体１の正面から見て左右方向に波形状に延びるスリット状の開口穴を左右方向に概ね直線状に配置して構成され、手乾燥室２の奥側に向かうように斜め下方に向って空気を噴出するような噴出角度になっている。また、前壁２ａ及び後壁２ｂのそれぞれのノズル５の噴出方向の中心軸（開口穴の中心軸）同士の交点Ｐの位置が、上下方向において側壁２ｃの上端２ｅより下方でほぼ第一の手検知センサ７の手検知範囲位置とほぼ同等になっており、図２では手検知センサ７の光軸上とほぼ同等になっている。
【００１３】
第一の手検知センサ７は、赤外線を発光する発光素子７ａと発光素子７ａで発光した赤外線を受光する受光素子７ｂとの一対で構成され、発光素子７ａは前壁２ａに設けられ、受光素子７ｂは後壁２ｂに設けられ、手乾燥室２を挟んで互いに対向している。発光素子７ａおよび受光素子７ｂは、上下方向において手乾燥室２の中央より上方かつノズル５よりも下方かつ側壁２ｃの上端２ｅよりも下方に位置している。同様に、第二の手検知センサ８は、赤外線を発光する発光素子８ａと発光素子８ａで発光した赤外線を受光する受光素子８ｂとの一対で構成され、発光素子８ａは前壁２ａに設けられ、受光素子８ｂは後壁２ｂに設けられ、手乾燥室２を挟んで互いに対向している。発光素子８ａおよび受光素子８ｂは、上下方向において第一の手検知センサ７より下方で手乾燥室２の中央より下方に位置している。第一の手検知センサ７と第二の手検知センサ８は、前壁２ａおよび後壁２ｂに上下方向の位置は同じで左右方向に間隔を空けてそれぞれ複数設けられている。第一の手検知センサ７は、発光素子７ａと受光素子７ｂとの間に遮蔽するものが何も無い（手が無い）状態であれば発光素子７ａから発光された赤外線を受光素子７ｂで直接受光できるため受光素子７ｂでの赤外線の受光レベルが高く、発光素子７ａと受光素子７ｂとの間に手などの遮蔽物がある状態であれば、発光素子７ａから発光された赤外線が遮断され受光素子７ｂで直接受光できなくなることで受光素子７ｂの赤外線の受光レベルが低くなる。その受光素子７ｂの受光レベルに応じた信号に基づいて制御手段４に設けられたマイコン（図示せず）が手の有無の判断している。また第二の手検知センサ８も第一の手検知センサ７と同様である。
【００１４】
箱体１の内部について説明する。箱体１の内部には高圧空気流を生成する高圧空気流発生装置３が設けられ、高圧空気流発生装置３の排気側を囲んで排気チャンバ１１が設けられ、排気チャンバ１１には、排気チャンバ１１内の空気を排出する排気口１１ａが設けられている。排気口１１ａには、高圧空気流発生装置３で生成された排気チャンバ１１内の高圧空気流を加熱する電気ヒータ１５が設けられている。排気口１１ａには正面側と背面側に分岐した通風路である前排気ダクト１２ａおよび後排気ダクト１２ｂが接続して設けられ、前排気ダクト１２ａは前壁２ａに設けられたノズル５と連通し、後排気ダクト１２ｂは後壁２ｂに設けられたノズル５と連通している。また、高圧空気流発生装置３の吸気側は通風路である吸気ダクト１０の一方端に接続され、吸気ダクト１０の内壁には高圧空気流発生装置３からの騒音を低減させるために吸音材（図示せず）が貼り付けられている。吸気ダクト１０の他方端は箱体１の底部に下方に開口した吸気口１３に接続され、吸気口１３の入口部にはエアフィルタ１４が着脱可能に設けられている。
【００１５】
制御手段４は高圧空気流発生装置３や電気ヒータ１５の運転などを制御する制御回路４ａとケース４ｂ、カバー４ｃ、放熱器４ｄから構成される。制御回路４ａには、ＦＥＴ素子、ＩＧＢＴ素子などのスイッチング素子、電解コンデンサなどの比較的大きな電子部品が用いられる。制御回路４ａ上のスイッチング素子は、高圧空気流発生装置３の駆動時に発熱するため放熱させて故障を防ぐ必要がある。そのため、高圧空気流発生装置３の制御回路４ａには一般的にスイッチング素子に密接した放熱器４ｄが設けられる。その放熱器４ｄは、吸気ダクト１０に挿入され、高圧空気流発生装置３の動作時に吸気ダクト１０の中を通る空気流によって冷却される構造となっている。放熱器４ｄは熱伝導率の良いアルミ製とし、フィン形状となっている。
【００１６】
図４は、この発明の実施の形態１における手乾燥装置の外観を示す左斜視図で、操作部１６の扉１６ｄを開いた状態を示すものである。図４に示すように、箱体１の左側面には外部から操作可能な操作部１６が設けられ、操作部１６には開閉可能な扉１６ｄが設けられ、扉１６ｄを開くと電源のＯＮ−ＯＦＦを切り替える電源スイッチ１６ａ、高圧空気流発生装置３の動作時の風量を調節する風量調節器１６ｂ、及び電気ヒータ１５のＯＮ／ＯＦＦを切り替えるヒータスイッチ１６ｃが操作可能に設けられている。
【００１７】
次に動作について説明する。使用者が手乾燥装置の正面側に立ち、手乾燥装置の上部の上部開口部２０ａまたは側部開口部２０ｂから手乾燥室２の中へ濡れた手を入れ、更に手乾燥室２の下方（奥側）へと挿入させ、挿入された手の先端などで第二の手検知センサ８の赤外線が遮られると制御回路４のマイコン（図示せず）が手有りと判断して高圧空気流発生装置３の運転を開始させる。高圧空気流発生装置３が運転されると、外部の空気がエアフィルタ１４で埃が除去されて吸気口１３から吸い込まれ、吸気ダクト１０を通って高圧空気流発生装置３の吸込側に吸い込まれ、吸い込んだ空気は高圧空気流発生装置３で高圧空気にされる。
【００１８】
高圧空気流発生装置３で高圧化された高圧空気は、高圧空気流発生装置３の排気側から排気チャンバ１１内に排気され、ヒータスイッチ１６ｃがＯＮの場合には電気ヒータ１５で加熱される。加熱された高圧空気および排気口１１ａを通った高圧空気は、混合されるとともに前排気ダクト１２ａおよび後排気ダクト１２ｂに分けられる。前排気ダクト１２ａおよび後排気ダクト１２ｂに分けられた高圧空気は前壁２ａおよび後壁２ｂに設けられたノズル５でそれぞれ高圧空気から高速空気に変換され手乾燥室２の中へ温風の高速空気が噴出される。上部開口部２０ａの近傍に左右方向に略直線状にノズル５が設けられているので、左右方向に延びたエアーカーテン状の高速空気が上部開口部２０ａ近傍で噴出され、手乾燥室２の中に挿入されている使用者の手首または手首付近の手の甲および掌の両面に当たる。ノズル５の噴出方向は水平方向より下方へ傾いていて手乾燥室２の奥側へ向かっているため、ノズル５から噴出される高速空気も水平方向より下方へ傾いていて手乾燥室２の奥側に向って噴出される。そのため、手に対して垂直ではなく指先方向に向って傾いて衝突するので、ノズル５から噴出された高速空気の大部分は手に衝突した後、手に沿って手首から指先方向に向って流れ、手に付着している水の大部分も手に沿って手首から指先方向に向って流れ、指先から剥離され水滴となって吹き飛ばされる。そして、使用者が挿入している手を上部開口部２０ａから手乾燥室２の外へ引き抜き始めることで、手への高速空気の衝突位置が手首付近から指先に向かって徐々に移動し、手首付近から指先へと水滴が除去され手を乾燥させることができる。
【００１９】
使用者が手を抜き続けると、手への高速空気の衝突位置が手の平や甲の手首から指の根元までのゾーンから指のゾーンに移動する。指のゾーンでは特に使用者が意識しない限り指と指との間に隙間があり、その隙間では前壁２ａ側のノズル５から噴出された高速空気と対向する後壁２ｂ側のノズル５から噴出された高速空気が直接衝突し合うことや、平面がない指の形状の影響で、衝突後の高速空気の方向が乱れてしまうため、手から剥離され指先から飛ぶ水滴が手乾燥室２の中に広範囲に飛ぶようになる。
【００２０】
使用者が更に手を抜くと、第一の手検知センサ７の赤外線が挿入された手で遮られた状態から遮られない状態になり、制御回路４のマイコン（図示せず）が手有りの状態から手無しと判断して高圧空気流発生装置３の運転を停止させる。このとき上下方向において、第一の手検知センサ７より側壁２ｃの上端２ｅが上方に位置しているので、挿入された指先が上端２ｅより下方の位置で高速空気流発生装置３が停止される。そのため、指先から広範囲に飛んだ水滴も前壁２ａ、後壁２ｂ、側壁２ｃおよび底壁２ｄで回収することができる。濡れた手から吹き飛ばされ剥離した水滴は手乾燥室２に飛ばされ、前壁２ａ、後壁２ｂおよび側壁２ｃに当たって流下し、手乾燥室２の底部の底壁２ｄに設けられた排水口（図示せず）から排水路６を通ってタンク９に回収される。
【００２１】
次に、実施の形態１の第一の検知センサ７および第二の手検知センサ８の別の実施例について説明する。図５はこの発明の実施の形態１における別の実施例の手乾燥装置の右側面断面図である。第一の手検知センサ７は、赤外線を発光する発光素子（図示せず）と発光素子（図示せず）から発光され反射して戻ってきた赤外線を受光する受光素子（図示せず）を一体で備えた反射式センサで構成され、発光方向および受光方向が前壁２ａに向って後壁２ｂに設けられている。また第一の検知センサ７は上下方向において手乾燥室の中央より上方かつノズル５よりも下方かつ側壁２ｃの上端２ｅよりも下方に位置している。第二の手検知センサ８は、赤外線を発光する発光素子８ａと発光素子８ａで発光した赤外線を受光する受光素子８ｂとの一対で構成され、発光素子８ａは前壁２ａに設けられ受光素子８ｂは後壁２ｂに設けられ、手乾燥室２を挟んで互いに対向している。発光素子８ａは、上下方向において第一の手検知センサ７より下方であり手乾燥室２の中央より下方に位置しているとともに、受光素子８ｂは上下方向において乾燥室２の中央より上方で、第一の手検知センサ７とほぼ同位置に設けられている。また、第一の手検知センサ７と第二の手検知センサ８は、上下方向の位置は同じで手乾燥室２の左右方向に間隔を空けてそれぞれ複数設けられている。また、前壁２ａ及び後壁２ｂのそれぞれのノズル５の噴出方向の中心軸（開口穴の中心軸）同士の交点Ｐの位置が、上下方向において側壁２ｃの上端２ｅより下方でほぼ第一の手検知センサ７の手検知範囲位置とほぼ同等になっており、図４では手検知センサ７の光軸上とほぼ同等になっている。
【００２２】
第一の手検知センサ７は、手などの反射物が近くに無い（手が無い）状態であれば第一の手検知センサ７の発光素子（図示せず）から発光された赤外線が反射されて第一の手検知センサ７の受光素子（図示せず）で受光される赤外線の受光レベルが低く、近くに手などの反射物がある状態であれば、第一の手検知センサ７の発光素子（図示せず）から発光された赤外線が手などに反射されて第一の手検知センサ７の受光素子（図示せず）で受光される赤外線の受光レベルが高くなる。その第一の手検知センサ７の受光素子（図示せず）の受光レベルに応じた信号に基づいて制御手段４に設けられたマイコン（図示せず）が手の有無の判断している。第二の手検知センサ８は、発光素子８ａと受光素子８ｂとの間に手などの遮蔽物が何も無い（手が無い）状態であれば発光素子８ａから発光された赤外線を受光素子８ｂで直接受光でき受光素子８ｂでの赤外線の受光レベルが高く、発光素子８ａと受光素子８ｂとの間に手などの遮蔽物がある状態であれば、発光素子８ａから発光された赤外線が遮断され受光素子８ｂで直接受光できなくなることで受光素子８ｂでの赤外線の受光レベルが低くなる。その受光素子８ｂの受光レベルに応じた信号に基づいて制御手段４に設けられたマイコン（図示せず）が手の有無の判断している。
【００２３】
尚、本実施例では、前壁２ａ及び後壁２ｂのそれぞれのノズル５の噴出方向の中心軸（開口穴の中心軸）同士の交点Ｐの位置が、上下方向においてほぼ第一の手検知センサ７の手検知範囲位置とほぼ同等になっており、図３または図４では手検知センサ７の光軸上とほぼ同等になっている例を示したが、交点Ｐの位置について別の実施例を説明する。図６はこの発明の実施の形態１における別の実施例の手乾燥装置の右側面断面図である。交点Ｐの位置は乾燥性能が多少劣っても手乾燥室２から外部への水滴飛散を更に防止したい場合には、第一の手検知センサ７の手検知範囲位置より下方にしてもよく、図６に示すように手検知センサ７の光軸より下方にしてもよい。
【００２４】
また、本実施例では、手乾燥室２の上面に上部開口部２０ａを設け、手乾燥室２への手の挿入方向が上下方向である手乾燥装置を示したが、手乾燥装置の箱体１の正面に手乾燥装置の開口部を設け、手を正面側から背面側に向って水平方向に挿入するような手乾燥装置にしてもよい。
【００２５】
以上の構成の手乾燥装置によれば、ノズル５からの高速空気は手乾燥室２の奥側に向かい水平方向より下側に向って噴出されているので、手に対して垂直ではなく指先方向に向って傾いて衝突するので、手乾燥室２に挿入された濡れた手から剥離されて飛ぶ水滴の大部分は水平方向より下側に向って（手乾燥室２の奥側に向かって）飛ぶことになる。そして、手の平や甲の手首から指の根元までのゾーンの乾燥では、手の平や甲は多少の凹凸はあるものの概略平面形状であり前壁２ａ側のノズル５から噴出された高速空気と対向する後壁２ｂ側のノズル５から噴出された高速空気が手の領域内で直接衝突し合うことがないので、ノズル５から噴出された高速空気の大部分は手に衝突した後、手に沿って手首から指先方向に向って流れ、手に付着している水の大部分も手に沿って手首から指先方向に向って流れ、指先から剥離され水滴となって吹き飛ばされるが、指のゾーンの乾燥では、特に使用者が意識しない限り指と指との間に隙間があり、その隙間では前壁２ａ側のノズル５から噴出された高速空気と対向する後壁２ｂ側のノズル５から噴出された高速空気が直接衝突し合うことや、平面がない指の形状の影響で、衝突後の高速空気の方向が乱れてしまうため、手から剥離され指先から飛ぶ水滴の方向が水平方向より下向きではあるものの広範囲になる。しかし、手乾燥室２の左右の側壁２ｄの上端２ｅが第一の手検知センサ７より上方に位置しているので、ノズル５からの高速空気が噴出されているときは挿入されている指先が上端２ｅより下方に位置するため指先から飛ぶ水滴の方向が広範囲になっても水平方向より下方に向って飛ぶので左右の側壁２ｃで飛んだ水滴を捕集することができ、手乾燥室２の側面から水滴が外部に飛散することを防止できる。
【００２６】
また、上端２ｅがノズル５より下方にあるので、使用者が手乾燥室２へ手を挿入するとき、手乾燥室２には上面開口２０ａだけでなく側面開口２０ｂがあり側面が開口しているので手乾燥室２の上面開口部２０ａまで腕を縮めて上から下へと手を挿入しなくても、腕をある程度縮めれば左右の側面開口部２０ｂから手をスムーズに挿入することができ、使い勝手を良くすることができる。
【００２７】
また、前壁２ａと後壁２ｂに対向してそれぞれ設けられたそれぞれのノズル５の開口穴の中心軸同士の交点Ｐが側壁２ｃの上端２ｅより下方にあるので、指の長さに係らず指先から剥離されて水滴がと飛び始める位置が上端２ｅより下方になるので、水滴の総量は少ないが親指や小指なのどの短い指の先端から剥離されて飛ぶ水滴も左右の側壁２ｃで捕集することができ、手乾燥室２の側面から外部への水滴飛散防止を更に向上させることができる。
【００２８】
また、上下方向において、交点Ｐが第一の手検知センサ７と同等位置または下方にすれば、使用者が手乾燥室２に入れた手を非常にゆっくりと引き抜いた場合でも、ノズル５からの高速空気が手首付近から手の指先まで当たってから第一の手検知センサ７の赤外線が挿入された手で遮られた状態から遮られない状態になり手無しと判断され高圧空気流発生装置３の運転が停止されるので、ノズル５からの高速空気が引き抜き途中の手に当てている状態で高速空気が停止することがなく、確実に指先まで高速空気を当ててから停止させることができ、使用者の手の引き抜き速度に影響されることなく指先まで乾燥させることができる。
【符号の説明】
【００２９】
１  箱体
１ａ  正面パネル
２  手乾燥室
２ａ  前壁
２ｂ  後壁
２ｃ  側壁
２ｄ  底壁
２ｅ  上端
３  高圧空気流発生装置
４  制御手段
５  ノズル
６  排水路
７  第一の手検知センサ
７ａ  発光素子
７ｂ  受光素子
８  第二の手検知センサ
８ａ  発光素子
８ｂ  受光素子
９  タンク
１０  吸気ダクト
１１  排気チャンバ
１１ａ  排気口
１２ａ  前排気ダクト
１２ｂ  後排気ダクト
１３  吸気口
１４  エアフィルタ
１５  電気ヒータ
１６  操作部
１６ａ  電源スイッチ
１６ｂ  風量調節器
１６ｃ  ヒータスイッチ
１６ｄ  扉
２０ａ  上部開口部
２０ｂ  側部開口部
Ｐ  交点
【図１】
2014033820.tif 000003
【図２】
2014033820.tif 000004
【図３】
2014033820.tif 000005
【図４】
2014033820.tif 000006
【図５】
2014033820.tif 000007
【図６】
2014033820.tif 000008